(57)【要約】【課題】本発明は、トナーとキャリアを含む現像剤を補給する装置において、画質をより安定させることを目的する。【解決手段】本発明に係る現像装置の代表的な構成は、トナーと、トナーとは逆極性に摩擦帯電するキャリアとを含む現像剤を収容する現像容器２と、現像容器２に設けられ、現像剤を担持して感光ドラム２８上の静電像を現像する現像スリーブ３と、現像容器２に、トナーとキャリアとを含む補給用現像剤を補給する補給装置と、現像容器２の開口部に配置された接地電極８と、接地電極８に対向して配置され、表面が移動可能に構成されたバイアス印加電極９と、接地電極８上のキャリアがバイアス印加電極９に転移可能な電界を、接地電極８とバイアス印加電極９との間に形成する電源１４と、を有することを特徴とする。【選択図】図１
2009063667.tif 000002
【特許請求の範囲】
【請求項１】
トナーと、該トナーとは逆極性に摩擦帯電するキャリアとを含む現像剤を収容する現像容器と、
該現像容器に設けられ、前記現像剤を担持して像担持体の上の静電像を現像する現像剤担持体と、
前記現像容器に、前記トナーと前記キャリアとを含む補給用現像剤を補給する補給装置と、
前記現像容器の開口部に配置された第１電極と、
該第１電極に対向して配置され、表面が移動可能に構成された第２電極と、
前記第１電極の上の前記キャリアが前記第２電極に転移可能な電界を、前記第１電極と前記第２電極との間に形成する電界形成手段と、
を有することを特徴とする現像装置。
【請求項２】
前記第１電極における前記第２電極が対向する面とは反対側の面に、対向して配置された電磁石、
を有することを特徴とする現像装置。
【請求項３】
前記第２電極は、回転体であることを特徴とする請求項１に記載の現像装置。
【請求項４】
前記第２電極に当接するように設けられたスクレイパー、
を有することを特徴とする請求項１に記載の現像装置。
【請求項５】
前記電界形成手段は、直流バイアスのみを印加することで電界を形成することを特徴とする請求項１ないし４のいずれかに記載の現像装置。
【請求項６】
前記第１電極は、前記開口部から溢れ出る前記現像剤が表面に乗るように配置されたことを特徴とする請求項１ないし４のいずれかに記載の現像装置。
【請求項７】
前記第２電極の表面に付着したキャリア量を検知する検知手段を有することを特徴とする請求項１乃至６のいずれかに記載の現像装置。
【発明の詳細な説明】
【技術分野】
【０００１】
本発明は複写機やプリンタなどの画像形成装置に用いられる現像装置に関するものである。
【背景技術】
【０００２】
従来の電子写真方式の画像形成装置、その中でも特に有彩色の画像形成を行う画像形成装置において、非磁性トナーと磁性キャリアを混合して現像剤として使用する２成分現像方式が広く利用されている。２成分現像方式は、現在提案されている他の現像方式に比較して、画質の安定性、装置の耐久性などの長所を備えている。一方、長期の耐久による現像剤の劣化、特にキャリアの劣化が不可避であったため、画像形成装置の長期使用に伴い現像剤交換という作業を行う必要がある。
【０００３】
この問題に対する解決策が従来いくつか提案されている。例えば、特許文献１（特公平２−２１５９１）によると、劣化した現像剤（キャリア）を新しいものと徐々に入れ替えていくことで、見かけ上のキャリアの劣化進行が止まり、現像剤全体としては特性が安定する。これによって現像剤交換という作業を不要にし、メンテナンス性を向上させている。
【０００４】
しかし、上述した画像形成装置では、補給されたばかりでまだ劣化していないキャリアも一緒に回収してしまい、現像装置内に収容されるキャリアは、長期の使用に従って著しく劣化したキャリアと軽微な劣化キャリアが混在した状態になる。このため、見かけ上のキャリアの劣化進行が止まり、現像剤全体としては特性が安定するとはいえ、その安定するレベルが初期よりかなり悪化したレベルになり、画質の低下を招く可能性があった。
【０００５】
そこで、更に現像剤の特性として高いレベルで安定させ、高画質を維持する為に、特許文献２（特開２００２−０３１９５４）の様にドラムと現像スリーブ間の電界によって劣化した現像剤を選択してドラムに付着させ回収する技術が提案されている。
【０００６】
【特許文献１】特公平２−２１５９１号公報
【特許文献２】特開２００２−０３１９５４号公報
【発明の開示】
【発明が解決しようとする課題】
【０００７】
特許文献２の技術では、現像剤中の磁性粒子が回収される際にドラムをキズ付けないように、ドラム表面を固くしたり、現像スリーブ内にマグネットを設けた回収機構が必要であったり、使用用途が限定され、汎用性が乏しかった。
【０００８】
そこで本発明は、トナーとキャリアを含む現像剤を補給する装置において、画質をより安定させることを目的する。
【課題を解決するための手段】
【０００９】
上記課題を解決するために本発明に係る現像装置の代表的な構成は、トナーと、該トナーとは逆極性に摩擦帯電するキャリアとを含む現像剤を収容する現像容器と、該現像容器に設けられ、前記現像剤を担持して像担持体上の静電像を現像する現像剤担持体と、前記現像容器に、前記トナーと前記キャリアとを含む補給用現像剤を補給する補給装置と、前記現像容器の開口部に配置された第１電極と、該第１電極に対向して配置され、表面が移動可能に構成された第２電極と、前記第１電極上の前記キャリアが前記第２電極に転移可能な電界を、前記第１電極と前記第２電極との間に形成する電界形成手段と、を有することを特徴とする。
【発明の効果】
【００１０】
本発明によれば、トナーとキャリアを含む現像剤を補給する装置において、画質をより安定させることができる。
【発明を実施するための最良の形態】
【００１１】
［第一実施形態］
本発明に係る現像装置の第一実施形態について、図を用いて説明する。図１は本実施形態の現像装置の構成図である。図２は現像装置を用いた画像形成装置の構成図である。
【００１２】
（画像形成装置）
まず画像形成装置全体の動作について説明する。図２において、まず帯電器２１によって帯電された感光ドラム（像担持体）２８表面をレーザー２２によって露光することで感光ドラム２８上に静電像を形成し、静電像を現像装置１によって現像することで感光ドラム２８上にトナー像を形成する。トナー像が転写帯電器２３による転写バイアスによって、転写ベルト２４によって搬送される記録シート２７に転写された後、記録シート２７は転写ベルト２４から剥離され、定着器２５によって加圧／加熱され、永久画像を得る。また、転写後に感光ドラム２８上に残った残トナーは、クリーナー２６により除去され、次の画像形成に備える。
【００１３】
（現像装置１）
次に、現像装置１について図１を用いて説明する。現像装置１には、非磁性トナーと磁性キャリアからなる２成分現像剤が収容されており、その混合比は重量比で１：９程度である。この比はトナーの帯電量、キャリア粒径、画像形成装置の構成などで適正に調整されるべきものであって、必ずしもこの数値に従わなければいけないものではない。トナーとキャリアとが混合されることで互いに摩擦帯電し、例えば、トナーがマイナス極性に帯電し、キャリアはプラス極性に帯電する。
【００１４】
現像装置１は、感光ドラム２８に対向した現像領域が開口しており、この開口部に一部露出するようにして現像スリーブ（現像剤担持体）３が回転可能に配置されている。現像スリーブ３は、磁界発生手段である固定のマグネット４を内包する。現像スリーブ３は、非磁性材料で構成され、現像動作時には図１の矢印方向に回転し、現像容器２内の２成分現像剤を層状に保持して現像領域に担持搬送する。感光ドラム２８と対向する現像領域に、２成分現像剤を供給し、感光ドラム２８に形成されている静電潜像を現像する。
【００１５】
静電潜像を現像した後の現像剤は、現像スリーブ３の回転にしたがって搬送され、現像容器２内に回収される。現像容器２は、第１現像剤循環スクリュー２ａ（現像スリーブ３に近い側）、第２現像剤循環スクリュー２ｂ（現像スリーブ３から遠い側）を有する。回収された現像剤は、スクリュー２ａ、２ｂにより現像容器２内を循環し、混合攪拌される。現像剤循環の方向は、本実施形態では第１現像剤循環スクリュー２ａ側で図１の手前側から奥側に向かう方向、第２現像剤循環スクリュー２ｂ側では図１の奥側から手前側に向かう方向である。
【００１６】
図３に示すように、現像剤搬送路５は、略円筒形で画像形成装置本体から現像装置１と現像剤補給口６で接している。現像剤搬送路５は、補給される現像剤を搬送するための搬送スクリュー７を内蔵している。現像剤搬送路５の内部において、搬送スクリュー７は樹脂などをらせん状にしたものを剛体の軸で回転駆動するようにしたもので、適宜回転することで現像剤搬送路５内の現像剤の補給を行う。
【００１７】
画像形成によって消費された分のトナーは、補給装置によって補給が行われる。補給装置は、現像剤搬送路５内に配置された搬送スクリュー７によって、補給用現像剤を搬送しながら現像剤補給口６を通過させて、現像装置１に補給する。
【００１８】
補給される補給現像剤のトナー及びキャリアの混合比は重量比で９：１程度であるが、特にこの数値に限定されるものではない。すなわち、現像容器２内の２成分現像剤の比に対してトナー量が圧倒的に多く、体積比を考えればトナー中にキャリアが微量混合されているものと考えることもできる。つまり、画像形成によって消費されたトナーを補う際に、微量のキャリアを徐々に補給していくことになる。補給される現像剤のキャリアの比が多くなれば同じ量のトナー補給でキャリアの入れ替わり量が多くなり、現像器１内の２成分現像剤はフレッシュな状態に近づくが、その分キャリアの消費量が多くなる。このため、それぞれの装置において適当な混合比を別途定めるのが好ましい。
【００１９】
また、トナー補給量制御の方法として、２成分現像剤のトナー濃度を光学的あるいは磁気的に検知するものや、感光ドラム２８上の基準潜像を現像してそのトナー像の濃度を検知する方法等を適宜選択できる。
【００２０】
（２成分現像剤）
次に、２成分現像剤について説明する。
【００２１】
トナーは、結着樹脂、着色剤、そして、必要に応じてその他の添加剤を含む着色樹脂粒子と、コロイダルシリカ微粉末のような外添剤とを有している。そして、トナーは、負帯電性のポリエステル系樹脂であり、体積平均粒径は５μｍ以上、８μｍ以下が好ましい。本実施形態では７．０μｍであった。このトナーは、マイナス極性に帯電する。
【００２２】
キャリアは、例えば表面酸化或は未酸化の鉄、ニッケル、コバルト、マンガン、クロム、希土類などの金属、及びそれらの合金、或は酸化物フェライトなどが好適に使用可能であり、これらの磁性粒子の製造法は特に制限されない。そして、キャリアは、重量平均粒径が２０〜５０μｍ、好ましくは３０〜４０μｍであり、抵抗率が１０７Ω・ｃｍ以上、好ましくは１０８Ω・ｃｍ以上である。本実施形態では１０８Ω・ｃｍのものを用いた。このキャリアはプラス極性に帯電する。
【００２３】
本実施形態にて用いられるトナーについて、体積平均粒径は以下に示す装置及び方法にて測定した。
【００２４】
測定装置としては、コールターカウンターＴＡ−ＩＩ型（コールター社製）、個数平均分布、体積平均分布を出力するためのインターフェース（日科機製）及びＣＸ−Ｉパーソナルコンピュータ（キヤノン製）を使用した。電界水溶液として、一級塩化ナトリウムを用いて調製した１％ＮａＣｌ水溶液を使用した。
【００２５】
測定方法は以下に示す通りである。すなわち、上記の電界水溶液１００〜１５０ｍｌ中に分散剤として界面活性剤、好ましくはアルキルベンゼンスルホン酸塩を０．１ｍｌ加え、測定試料を０．５〜５０ｍｇ加える。
【００２６】
試料を懸濁した電界水溶液は超音波分散器で約１〜３分間分散処理を行ない、上記のコールターカウンターＴＡ−II型により、アパーチャーとして１００μｍアパーチャーを用いて２〜４０μｍの粒子の粒度分布を測定して体積平均分布を求める。こうして求めた体積平均分布より、体積平均粒径を得る。
【００２７】
本実施形態にて用いられるキャリアについて、キャリアの抵抗率は、以下の方法で測定した。すなわち、測定電極面積４ｃｍ２、電極間間隔０．４ｃｍのサンドイッチタイプのセルを用いて、片方の電極に１ｋｇの重量の加圧下で、両電極間の印加電圧Ｅ（Ｖ／ｃｍ）を印加して、回路に流れた電流から、キャリアの抵抗率を得る方法によって測定した。
【００２８】
（現像剤の劣化）
長期の使用による現像剤の劣化は、機械的な磨耗が多くなりキャリア表面にトナーが固着する所謂トナースペントと、トナーから離脱した外添剤がキャリア表面に付着する所謂外添剤付着の２つが大きな原因である。キャリアに比べてトナーの抵抗率は高いため、トナースペントが進行していくとキャリアの抵抗率は高くなる。キャリアはトナーと接触し摩擦帯電することで、トナーと逆極性に帯電するが、現像スリーブや空気中に放電することで徐々に減衰する。しかし、トナースペントが起こり抵抗率が高くなると減衰しずらくなるため、初期キャリアに比べて帯電電荷量（トリボ）が高くなる。
【００２９】
図７は初期キャリアとスペントキャリア（劣化キャリア）の帯電量分布を帯電量分布測定装置（ホソカワミクロン社製；型式イースパートアナライザーＥＳＴ−１）で測定したものである。現像装置１で１分間空回転を行った後の帯電量分布データで、スペントキャリアは画像形成回数４０ｋ回相当のサンプルを使用した。これにより、スペントキャリアは、初期キャリアに比べて、トリボが大きくなる傾向がある。
【００３０】
（キャリアの回収方法）
次に、キャリアの回収方法について、図１、図４を用いて詳しく説明する。
【００３１】
図１に示すように、現像容器２から２成分現像剤を回収する回収手段は、接地電極（第１電極）８、バイアス印加電極（第２電極）９を有している。これらの電極は、現像容器２における開口部１３に、互いに対向して配置されている。接地電極８は、補給装置によって補給用現像剤が補給されることで開口部１３から溢れ出る現像剤が、その表面に乗るように配置されている。また、バイアス印加電極９は、現像装置１（現像スリーブ３）の回転と同期して回転する回転体になっている。これにより、バイアス印加電極９の表面が移動可能に構成されている。バイアス印加電極９は、現像装置１（現像スリーブ３）の回転と同期して、バイアスを印加され、劣化して抵抗値が高くなったキャリアを静電吸着して回収する。
【００３２】
図４に示すように、接地電極８は、背面側（バイアス印加電極９の反対側の面）に電磁石１１を貼り付けられている。現像装置１の回転と同期して、接地電極８を介して電磁石１１に通電すると、磁気力が発生し、接地電極の正面側（バイアス印加電極側）に現像容器２内を循環中の現像剤（トナー、キャリア１２）が一定量保持される。
【００３３】
ここで、バイアス印加電極９には、電源（電界形成手段）１４により直流バイアスのみ（ＤＣバイアス）が印加される。これにより形成された、電極間の電界は、接地電極８に保持された現像剤中のキャリアが、バイアス印加電極９の表面に転移可能な電界となっている。付着した現像剤は、バイアス印加電極９の回転により搬送され、バイアス印加電極９の表面に当接するスクレイパー１０により掻き取られて落下し、現像装置１の外へ回収される。
【００３４】
バイアス印加電極９に回収させずに接地電極上に保持されたままの残留現像剤は、現像装置１（現像スリーブ３）の回転が止まり通電が切れると、重力によって接地電極８のスロープに沿って現像容器２へ戻っていく。
【００３５】
次に電界によるキャリア回収の原理を図５の回収モデルを用いて詳しく説明する。電磁石１１は磁気力を有することで接地電極８の表面上に磁性体の特性から初期キャリアと劣化キャリア両方を保持できる。ある距離を隔てた所に位置するバイアス印加電極９に電圧を印加すると接地電極８との間に電界が生じ、キャリアは電荷を有する為にクーロンの法則が成り立ち静電気力が働く。
【００３６】
ここで、図５（ｂ）に示すように、磁気力＜静電気力となった場合に、接地電極８上のキャリアがバイアス印加電極９へ移動する。そして、劣化キャリアは初期キャリアよりもトナースペントによりトリボが高くなっているので、更に静電気力が多く作用する為に電位差を与えると逆極性側に移動し易くなる。また、トナースペントにより外添剤付着量が多いのでスペーサー効果によって、劣化キャリアはトナーや接地電極８から離れやすくなる。これらの作用より、電界によって劣化キャリアのみの選択回収が可能になる。回収されるキャリアの抵抗率は、１０８Ω・ｃｍ以上１０１２Ω・ｃｍ以下である。
【００３７】
図６はシーケンス図である。図６（ａ）のシーケンスでは、現像スリーブ３の駆動、バイアス印加電極９の回転、バイアス印加電極９への印加、電磁石１１への通電は、ＯＮ／ＯＦＦタイミングがほぼ一致している。このようなタイミングにすることで、現像スリーブ３が駆動した時だけ回収動作を行なえる。
【００３８】
しかし、図６（ａ）のシーケンスでは、停止タイミングが全て同じである。全て停止した際、バイアス印加電極９の現像容器内側の位置に付着していたキャリアは、重力に従い現像容器内に落下し現像剤に回収される。しかし、バイアス印加電極９の現像容器外側の位置からスクレイパー１０までの位置に付着しているキャリアは、バイアス印加電極９の上に付着したキャリアが残ったままになってしまう。そして、スクレイパー１０で回収できなかったキャリアが機械内に散乱汚染してしまう。
【００３９】
このキャリアの散乱という問題を解決するために、図６（ｂ）のようなシーケンスを行なうことが好ましい。図６（ｂ）のシーケンスでは、バイアス印加電極９の回転を他の部材の動作時間よりも長くしている。これにより、バイアス印加電極９の現像容器外側の位置に付着しているキャリアも、バイアス印加電極９の回転による搬送によって、スクレイパー１０まで到達して容器外の回収場所に収まる。
【００４０】
（ＤＣバイアス、電極間隔等の設定値）
図９は現像装置１を用いて、バイアス印加電極９に印加するＤＣバイアスを可変した時のバイアス印加電極９へのキャリア付着量を表す。電磁石１１は、接地電極９の表面における磁気力が７０ｍＴとなるように制御されている。また、電極間隔（接地電極８とバイアス印加電極９の間隔）を４００μｍに設定した。ＤＣバイアスに重畳させたＡＣバイアスは、ピークツウーピークの電圧を１８００Ｖとした。
【００４１】
ＡＣバイアスを重畳させると、キャリアが回収開始するＤＣバイアス値は低い方にシフトする。これは、ＡＣバイアスは転移能力が高いため、キャリアの抵抗に関係なく低い電荷量のキャリアでも転移し易くなる為である。本実施形態においてＤＣバイアスのみ印加して電極間電位差を‐３００Ｖ以下にするとバイアス印加電極９上にキャリアが付着し回収され始める。つまり、接地電極８はアースされているため０Ｖであり、バイアス印加電極９には−３００ＶのＤＣバイアスが印加されることで、バイアス印加電極９に対してキャリアを転移可能な電界が形成されている。
【００４２】
電極間隔は、図８のグラフより決定した。図８は図１に示す現像装置１を用いて、電極間隔とキャリア回収量の関係を確認した結果である。電極間隔があまりに近すぎると、キャリアを大量に回収してしまうが、ある距離以上ならば回収量がブロードになり大きく変化しない。それはバイアス値を変えても同様の傾向がある。そこで今回の実施形態では、回収量の変化が電極間隔にあまり影響されない下限値付近である４００μｍに設定した。
【００４３】
（印加バイアス）
図１０はＤＣ印加バイアス、および、ＡＣ＋ＤＣ印加バイアスのそれぞれで現像剤の回収を行ないながら、長期にわたって画像形成を行なった時の、回収された現像剤中のキャリアにスペントしているトナーの重量を表している。図１１はＤＣ印加バイアス、および、ＡＣ＋ＤＣ印加バイアスのそれぞれで現像剤の回収を行ないながら、長期にわたって画像形成を行なった時の、現像装置１内に収容される現像剤中のキャリアにスペントしているトナー重量を表している。図１０、図１１において、横軸は画像形成回数、縦軸はキャリア１ｇにスペントしているトナー重量である。
【００４４】
図１０、図１１に示すように、ＡＣ＋ＤＣ現像バイアスに比べ、ＤＣ現像バイアスで現像剤の回収を行なう方が、トナースペント量の多いキャリア、つまり、劣化したキャリアが優先的に回収される。すなわち、ＡＣ＋ＤＣ印加バイアスに比べ、ＤＣ印加バイアスで現像剤の回収を行なう方が、現像容器２内のキャリアへのトナースペント重量が少ない。つまり、現像装置１内の劣化したキャリアの量が軽減されており、現像剤の状態が高いレベルで維持される。
【００４５】
直流バイアス（以下ＤＣバイアス）に交流バイアス（以下ＡＣバイアス）を重畳することで、電荷を持ったキャリアの転移能力は向上する。しかしながら、この事は、高い帯電量でも低い帯電量でも同様に転移させてしまう事を意味するため、劣化キャリアを選択するには不適切となる。
【００４６】
そこで、本実施形態のように、ＤＣバイアスのみを印加することで電界を形成する。これにより、劣化していないキャリアのバイアス印加電極９への付着はほとんど起こらず、高抵抗の劣化したキャリアの電極間電位差による静電的な付着が支配的となる。このため、劣化したキャリアを効率的に回収でき、少ないキャリア交換量でもよく、ランニングコストをおさえることができる。
【００４７】
表１は本実施形態で得られた効果や確認したキャリアの特性を示す図である。
【表１】
2009063667.tif 000003
【００４８】
なお、本実施例においては、電界形成手段として、第１電極８を接地し、第２電極９に−３００ＶのＤＣバイアスを印加する構成を示したが、これに限定されるものではない。例えば、第１電極８に＋３００Ｖを印加し、第２電極を接地する構成でも良い。あるいは、両方の電極にＤＣバイアスを印加し、両者の電位差の絶対値が３００Ｖとなるようにしても良い。なお、電位差の３００Ｖという値も一例であって、この値に限定されるものではない。
【００４９】
上述のキャリアの回収方法では、劣化キャリアが優先的に回収されるので、新しいキャリアを現像装置に補給することで、長期に亙って現像剤の特性を初期に近い状態に維持することができる。
【００５０】
さらに、現像剤の回収は、現像装置１背面側（現像スリーブ３の反対側）で行なうため、現像剤を感光体上に回収する構成と違い、感光ドラム２８を傷付ける心配がない。そして、現像スリーブ３内にマグネットを有するなど特別な回収機構が必要ないため、タンデム式など様々なドラム構成やドラム種類のフルカラー画像形成装置へ汎用的に適用することができる。
【００５１】
このため、現像剤の交換が不要な高メンテナンス性、長期の画像形成においても現像剤を高いレベルの状態で維持して初期の画質を維持できる高画質高安定、使用できるドラムの種類を問わない高い汎用性を実現できる。
【００５２】
なお、本実施形態にて用いた印加バイアス、電磁石の磁気力、電極間距離等の値はこれらの値に限ったものではなく、現像剤や装置構成の違いによって適宜変わるものである。
【００５３】
［第二実施形態］
次に本発明に係る現像装置の第二実施形態について図を用いて説明する。上記第一実施形態と説明の重複する部分については、同一の符号を付して説明を省略する。
【００５４】
図１２は本実施形態に係る現像装置の構成図である。図１２に示すように、本実施形態の現像装置は、上記第一実施形態の現像装置１に光学センサ１３を追加したものである。
【００５５】
光学センサ１３は、反射光量によってバイアス印加電極９の表面に付着したキャリア量を検知する検知手段である。光学センサ１３で検知したキャリアの付着量によって劣化度合いを確認できる。
【００５６】
図１３は画像形成回数に対するキャリア劣化度合いをキャリア付着量として置き換えた理想相関特性を示す図である。図１３に示すように、定期的な本体使用量毎に光学センサ１３でキャリア回収量を測定して、理想特性との差分を計算する。差分が一定のしきい値を超えた場合には、警告信号を発するようにし、使用状態、現像装置の状態を確認する。しきい値は、画像濃度、かぶり、粒状性に影響が出始める値とし、具体的にはキャリア付着量が理想特性の１０％を上回ったところとした。
【００５７】
このような検知手段（光学センサ１３）を追加することで、現像特性の高画質高安定を更に高精度な状態で維持できる。
【図面の簡単な説明】
【００５８】
【図１】第一実施形態に係る現像装置の構成図である。
【図２】本発明の第１実施形態の現像装置を用いた画像形成装置を説明する図。
【図３】本発明の第１実施形態の現像剤搬送路を説明する図。
【図４】本発明の第１実施形態の接地電極部を説明する図。
【図５】電界によるキャリアの回収原理を詳しく説明する図。
【図６】本発明の第１実施形態の各部材動作タイミングを説明する図。
【図７】キャリアの帯電量分布を詳しく説明する図。
【図８】本発明の第１実施形態の電極間距離とキャリア付着量を説明する図。
【図９】本発明の第１実施形態の電位差とキャリア付着量を説明する図。
【図１０】本発明の第１実施形態の効果を詳しくを説明する図。
【図１１】本発明の第１実施形態の効果を詳しくを説明する図。
【図１２】第二実施形態に係る現像装置の構成図である。
【図１３】画像形成回数に対するキャリア劣化度合いをキャリア付着量として置き換えた理想相関特性を示す図である。
【符号の説明】
【００５９】
１        …現像装置
２        …現像容器
２ａ    …第１現像剤循環スクリュー
２ｂ    …第２現像剤循環スクリュー
３        …現像スリーブ（現像剤担持体）
４        …マグネット
５        …現像剤搬送路
６        …現像剤補給口
７        …搬送スクリュー
８        …接地電極（第１電極）
９        …バイアス印加電極（第２電極）
１０    …スクレイパー
１１    …電磁石
１２    …キャリア
１３    …光学センサ
１４    …電源（電界形成手段）
２１    …帯電器
２２    …レーザー
２３    …転写帯電器
２４    …転写ベルト
２５    …定着器
２６    …クリーナー
２７    …記録シート
２８    …感光ドラム（像担持体）
【図１】
2009063667.tif 000004
【図２】
2009063667.tif 000005
【図３】
2009063667.tif 000006
【図４】
2009063667.tif 000007
【図５】
2009063667.tif 000008
【図６】
2009063667.tif 000009
【図７】
2009063667.tif 000010
【図８】
2009063667.tif 000011
【図９】
2009063667.tif 000012
【図１０】
2009063667.tif 000013
【図１１】
2009063667.tif 000014
【図１２】
2009063667.tif 000015
【図１３】
2009063667.tif 000016